(57)【特許請求の範囲】
【請求項１】
車両用シートの着座高さ位置を調節するために車両用シートに設けられる車両用シートの昇降機構であって、
一側が車両フロアに設置されたフロア側部材に対して回動可能に軸支持され且つ他側が着座するための着座側構成部のフレーム部材を回動可能に軸支持するリフタリンクと、一側が前記フロア側部材に対して回動可能に軸支持され且つ他側が前記リフタリンクに設けられた長孔に遊嵌されるストッパリンクとを備え、
前記着座側構成部がシート背面側に向けて荷重をかけることによる前記リフタリンクの背面方向への回動は、前記長孔内部に遊嵌される前記ストッパリンクの遊嵌部位が該長孔内周部に当接することによって回動規制されるものとなっており、
前記着座側構成部がシート前面側に向けて荷重をかけることによる前記リフタリンクの前面方向への回動は、前記リフタリンクに設けられる規制用当接部が前記フロア側部材に配設されるストッパ部に当接することによって回動規制されるものとなっており、
前記規制用当接部は、前記リフタリンクの一側の回動軸支点に対して、前記長孔の前面側端部の配設位置よりも回動径方向外側に位置するように設定されて設けられており、
前記長孔は、前記リフタリンクに設けられる前記規制用当接部が前記フロア側部材に配設されるストッパ部に当接した場合であっても、前記ストッパリンクの前記遊嵌部位が該長孔内周部に対して非当接となる長孔形状として形成されていることを特徴とする車両用シートの昇降機構。
【請求項２】
請求項１に記載の車両用シートの昇降機構において、
前記規制用当接部は、前記長孔の延在方向とは異なる方向に延びた前記リフタリンクの端縁をシート幅方向に折り曲げるようにして形成されたフランジ状支持部の側端部にて構成されており、
前記ストッパ部は、前記規制用当接部が延びる方向と交差する方向に該規制用当接部が当接する当接面が形成されるように、前記フロア側部材からシート幅方向にフランジ状に突出して形成されていることを特徴とする車両用シートの昇降機構。
【発明の詳細な説明】
【技術分野】
【０００１】
本発明は、車両用シートの着座高さ位置を調節するために車両用シートに設けられる車両用シートの昇降機構に関する。
【背景技術】
【０００２】
自動車等の車両には、乗員が着座する車両用シートが設置される。この車両用シートは、乗員が着座する座としてのシートクッションと、このシートクッションに乗員が着座した場合の背凭れとなるシートバックとを備える。このような車両用シートは、着座者の任意で、着座前後位置や着座高さ位置を調節できるものが知られている。このため、このような車両用シートには、上下に昇降調節させるための昇降機構が配設されるものが知られている。ここで、着座高さ位置を上下に調節する昇降機構は、例えば車両フロアに固定設置された適宜の部材（以下、「フロア側部材」と言う）上に対して配設され、シートクッションやシートバック等の着座のための着座側構成部を支持するものが知られている。この昇降機構は、着座側構成部を支持するほか、シートクッションに着座する着座者の体重も支持することとなる。
【０００３】
上記した車両用シートが設置された自動車等の車両にあっては、車両前側から衝突（以下、「車両前突」と称する）されたり、車両後側から衝突（以下、「車両後突」と称する）されたりすることがある。このように車両前突や車両後突された場合には、車両用シートは、慣性の法則より前面側や背面側に突発的な荷重をかけることとなる。このため、このような昇降機構には、突発的な荷重がかかる場合であっても、着座側構成部の荷重方向への傾きを支持する回動ストッパ機構が配設されるものが知られている（例えば、特許文献１参照）。
【先行技術文献】
【特許文献】
【０００４】
【特許文献１】特開２００９−２０８７３７
【発明の概要】
【発明が解決しようとする課題】
【０００５】
ところで、上記した車両前後突に対して突発的な荷重を支持する回動ストッパ機構にあっては、製造上の観点から少ない部品点数で構成しておきたい。このため、少ない部品点数で構成する場合でも、上記した突発的な荷重を充分に支持できるように、構成部品の各部分を強化しておきたいという要請がある。
しかしながら、上記した特許文献１に開示される車両前後突用の回動ストッパ機構を構成するリンクには、車両後突用の回動ストッパ機構の一部をなす長孔が設けられており。、この長孔に隣接する部位には、車両後突用の回動ストッパ機構の一部をなす当接部が設けられている。ここで、当接部は、車両前突された場合のリンクの回動を規制するようにフロア側部材のストッパ部が当接する部分となっているのに対し、この当接部と隣接する長孔は、金属肉を切り欠いた（金属の肉無し）形状にて形成されている。このため、車両前突によって当接部に荷重がかかると、隣接する長孔部分は、この荷重を支持することができずに変形してしまって着座側構成部を傾かせてしまう恐れがある。
【０００６】
本発明は、このような事情に鑑みなされたものであって、本発明が解決しようとする課題は、車両用シートの着座高さ位置を調節するために車両用シートに設けられる車両用シートの昇降機構において、少ない部品点数で簡素に構成することができながら、回動ストッパ機構としての強度を向上させることにある。
【課題を解決するための手段】
【０００７】
上記した課題を解決するにあたって、本発明に係る車両用シートの昇降機構は、次の手段を採用する。
すなわち、本発明の第１の発明に係る車両用シートの昇降機構は、車両用シートの着座高さ位置を調節するために車両用シートに設けられる車両用シートの昇降機構であって、一側が車両フロアに設置されたフロア側部材に対して回動可能に軸支持され且つ他側が着座するための着座側構成部のフレーム部材を回動可能に軸支持するリフタリンクと、一側が前記フロア側部材に対して回動可能に軸支持され且つ他側が前記リフタリンクに設けられた長孔に遊嵌されるストッパリンクとを備え、前記着座側構成部がシート背面側に向けて荷重をかけることによる前記リフタリンクの背面方向への回動は、前記長孔内部に遊嵌される前記ストッパリンクの遊嵌部位が該長孔内周部に当接することによって回動規制されるものとなっており、前記着座側構成部がシート前面側に向けて荷重をかけることによる前記リフタリンクの前面方向への回動は、前記リフタリンクに設けられる規制用当接部が前記フロア側部材に配設されるストッパ部に当接することによって回動規制されるものとなっており、前記規制用当接部は、前記リフタリンクの一側の回動軸支点に対して、前記長孔の前面側端部の配設位置よりも回動径方向外側に位置するように設定されて設けられていることを特徴とする。
【０００８】
この第１の発明に係る車両用シートの昇降機構によれば、リフタリンクの背面方向への回動は、長孔内部に遊嵌されるストッパリンクの遊嵌部位が長孔内周部に当接することによって回動規制されるものとなっているので、着座側構成部がシート背面側に向けて荷重をかけた場合でも、リフタリンクの背面方向への回動を規制することができる。また、この第１の発明に係る車両用シートの昇降機構によれば、リフタリンクの前面方向への回動は、リフタリンクに設けられる規制用当接部がフロア側部材に配設されるストッパ部に当接することによって回動規制されるものとなっているので、着座側構成部がシート前面側に向けて荷重をかけた場合でも、リフタリンクの前面方向への回動を規制することができる。
ここで、この第１の発明に係る車両用シートの昇降機構によれば、規制用当接部の配設位置は、リフタリンクの一側の回動軸支点に対して、長孔の前面側端部の配設位置よりも回動径方向外側に位置するように設定されている。このため、長孔の前面側端部のリフタリンクの回動径距離と、規制用当接部のリフタリンクの回動径距離とは、相違する距離に設定されることとなる。このため、リフタリンクの回動規制により規制用当接部にかかる荷重は、長孔の前面側端部の位置とはずらされた位置にかかることとなる。つまり、リフタリンクの回動規制により規制用当接部にかかる荷重は、長孔とは異なる切り欠かれていない中実（金属の肉有り）部分にて支持できるものとなる。これによって、切り欠かれた（金属の肉無し）形状の長孔に荷重のかからないものとすることができ、長孔部分の変形を防止することができる。また、リフタリンクの回動規制により規制用当接部にかかる荷重は、切り欠かれてはいない中実（金属の肉有り）部分にて支持できるので、回動を規制するストッパ機構としての強度も向上させることができる。
さらに、この第１の発明に係る車両用シートの昇降機構によれば、規制用当接部の回動軸支点からの距離（回動径距離）は、従前まで設定されていた距離よりも長い距離に設定されるものとなる。このため、梃子の原理によって、回動規制にて規制用当接部にかかる荷重は従前よりも小さい負荷とすることができ、荷重に対するリフタリンク４１の耐久性を向上させて回動ストッパ機構全体としての強度の向上にも繋がることとなる。
もって、この第１の発明に係る車両用シートの昇降機構によれば、少ない部品点数で簡素に構成することができながら、車両後突によるリフタリンクの背面方向への回動を規制することができ、車両前突によるリフタリンクの前面方向への回動を規制することができ、さらに車両前突によっての長孔部分の変形を防止して、回動ストッパ機構としての強度を向上させることができる。
【０００９】
第２の発明に係る車両用シートの昇降機構は、前記第１の発明に係る車両用シートの昇降機構において、前記長孔は、前記リフタリンクに設けられる前記規制用当接部が前記フロア側部材に配設されるストッパ部に当接した場合であっても、前記ストッパリンクの前記遊嵌部位が該長孔内周部に対して非当接となる長孔形状として形成されていることを特徴とする。
この第２の発明に係る車両用シートの昇降機構によれば、長孔は、リフタリンクに設けられる規制用当接部がフロア側部材に配設されるストッパ部に当接した場合であっても、ストッパリンクの遊嵌部位が長孔内周部に対して非当接となる長孔形状として形成されているので、例えばストッパリンクの遊嵌部位が長孔の内周部の背面側端部に当たることによって長孔部分を変形させてしまう問題を防止することができる。もって、車両前突による長孔の変形を防止して、回動ストッパ機構としての強度を向上させることができる。
【００１０】
第３の発明に係る車両用シートの昇降機構は、前記第１または前記第２の発明に係る車両用シートの昇降機構において、前記規制用当接部は、前記長孔の延在方向とは異なる方向に延びた前記リフタリンクの端縁をシート幅方向に折り曲げるようにして形成されたフランジ状支持部の側端部にて構成されており、前記ストッパ部は、前記規制用当接部が延びる方向と交差する方向に該規制用当接部が当接する当接面が形成されるように、前記フロア側部材からシート幅方向にフランジ状に突出して形成されていることを特徴とする。
この第３の発明に係る車両用シートの昇降機構によれば、ストッパ部は、フロア側部材からシート幅方向にフランジ状に突出して形成されているので、このストッパ部をフロア側部材と別部品で構成することがなくなる。これによって、部品点数を少なくして、製造コストを抑えることができるとともに製造作業性を向上させることができる。
また、規制用当接部は、長孔の延在方向とは異なる方向に延びたリフタリンクの端縁をシート幅方向に折り曲げるようにして形成されたフランジ状支持部の側端部にて構成されており、ストッパ部への当接面は規制用当接部が延びる方向と交差する方向に形成されているので、この規制用当接部がストッパ部から受ける荷重を、長孔の延在方向とは異なる方向に向けたものとすることができる。これによって、規制用当接部がストッパ部から受ける荷重を、切り欠かれた（金属の肉無し）形状となる長孔に向かないものとして、長孔部分の変形を効果的に防止することができ、回動ストッパ機構としての強度を向上させることができる。
【発明の効果】
【００１１】
第１の発明に係る車両用シートの昇降機構によれば、少ない部品点数で簡素に構成することができながら、車両後突によるリフタリンクの背面方向への回動を規制することができ、車両前突によるリフタリンクの前面方向への回動を規制することができ、さらに車両前突による長孔部分の変形を防止して、回動ストッパ機構としての強度を向上させることができる。
第２の発明に係る車両用シートの昇降機構によれば、車両前突による長孔の変形を防止して、回動ストッパ機構としての強度を向上させることができる。
第３の発明に係る車両用シートの昇降機構によれば、部品点数を少なくして製造コストを抑えることができるとともに製造作業性を向上させることができ、規制用当接部がストッパ部から受ける荷重を長孔に向かないものとして、長孔部分の変形を効果的に防止することができ、回動ストッパ機構としての強度を向上させることができる。
【図面の簡単な説明】
【００１２】
【図１】車両用シートの昇降機構の設置構造を模式的に示す側面模式図である。
【図２】組付け状態にある昇降機構を示す拡大斜視図である。
【図３】分解状態にある昇降機構を示す拡大斜視図である。
【図４】下限位置状態にある昇降機構を示す拡大側面図である。
【図５】上限位置状態にある昇降機構を示す拡大側面図である。
【図６】上限位置状態にある昇降機構においてリフタリンクが前面方向へ突発的に回動した際の力の作用を示す拡大側面図である。
【発明を実施するための形態】
【００１３】
以下、本発明に係る車両用シートの昇降機構を実施するための形態について、図面を参照しながら説明する。
図１は、車両用シートの昇降機構３０の設置構造を模式的に示す側面模式図である。なお、図１は、昇降機構３０の設置構造を分かり易くするため、図示する車両用シート１０は、シートクッションの骨格となるクッションフレームについてのみを示している。このため、図１は、クッションフレーム１１のうちサイド部分片側をシート外側から視た側面を模式的に示すものとなっている。
図１の下側に付される符号Ｆは、自動車等の車両車室内の車両フロアを示している。車両用シート１０は、車両フロアＦに対して、車両車室内で車両用シート１０をスライド移動可能とするためのスライド機構１５と、車両車室内で車両用シート１０の着座高さ位置を調節するための昇降機構３０とを介在させて設置されるものである。
なお、この車両用シート１０は、全体外観については図示していないが、乗員が着座する座としてのシートクッションと、シートクッションに乗員が着座した場合の背凭れとなるシートバックとを備えて構成されるものであり、図１においては、シートクッションの骨組みをなすクッションフレーム１１のみを図示している。ここで、シートクッションとシートバックとは、乗員が着座するための構成をなすものであり、本発明に係る着座側構成部に相当する。このため、このシートクッションの骨組みをなすクッションフレーム１１は、本発明に係る着座するための着座側構成部のフレーム部材に相当することとなる。
【００１４】
まず、スライド機構１５について説明する。
スライド機構１５は、図１に示すように、車両フロアＦに固定設置された脚ブラケット１３に対して固定設置されている。すなわち、スライド機構１５は、脚ブラケット１３に固定設置されるロアレール１６と、このロアレール１６に対して相対的にスライド移動するアッパレール１７とを備える。このアッパレール１７の下側部分は、ロアレール１６に対してスライド移動可能に収容されている。また、アッパレール１７の上側部分は、固定側サイドフレーム２０が固定された状態で設置されている。
このスライド機構１５には不図示の操作機構が設けられており、この操作機構を着座者が操作することによりアッパレール１７はロアレール１６に対してスライド移動可能な状態とすることができる。なお、この操作機構を着座者が操作していない場合には、アッパレール１７はロアレール１６に対してスライド移動不可の固定された状態に維持されるようになっている。つまり、上記した固定側サイドフレーム２０を含むスライド機構１５は、本発明に係るフロア側部材に相当するものであり、車両フロアＦに固定設置された脚ブラケット１３に対して固定設置されるものとなっている。
【００１５】
図２は、組付け状態にある昇降機構３０を示す拡大斜視図である。図３は、分解状態にある昇降機構３０を示す拡大斜視図である。
図１に示すように、固定側サイドフレーム２０は、スライド機構１５のアッパレール１７に対して固定された状態で設置されるものである。このため、図２および図３に示すように、固定側サイドフレーム２０には第１連結孔２１と第２連結孔２２とが設けられている。第１連結孔２１は、次に説明する昇降機構３０のストッパリンク３１を回動可能に支持するための軸支部材３４を挿通させるためのものである。第２連結孔２２は、次に説明する昇降機構３０のリフタリンク４１を回動可能に支持するための軸支部材４９を挿通させるためのものである。
また、この固定側サイドフレーム２０には、リフタリンク４１に設けられる規制用当接部４８が当接することとなるストッパ部２５が配設されている。この固定側サイドフレーム２０のストッパ部２５にリフタリンク４１の規制用当接部４８が当接した場合には、リフタリンク４１の突発的な前面方向への回動を規制する。なお、リフタリンク４１の突発的な前面方向への回動は、車両前突等によってシートクッション等の着座側構成部がシート前面側に向けて荷重をかけた場合に、突発的に前面方向への回動しようとするものである。このストッパ部２５は、固定側サイドフレーム２０において、リフタリンク４１が配置される側（シート幅方向外側）に向けてフランジ状に突出して形成されるように配設されている。なお、このストッパ部２５には、規制用当接部４８が当接する当接面２５１が形成されている。この当接面２５１が延びる面方向は、規制用当接部４８が当接する当接方向（フランジ状支持部４７の延在方向）と交差する方向に設定されている。
【００１６】
次に、昇降機構３０について説明する。
図４は、下限位置状態にある昇降機構３０を示す拡大側面図である。図５は、上限位置状態にある昇降機構３０を示す拡大側面図である。図６は、上限位置状態にある昇降機構３０においてリフタリンク４１が前面方向へ突発的に回動した際の力の作用を示す拡大側面図である。なお、図２〜図６は、図１とは異なり、骨格となる部分についてのサイド部分片側をシート内側から視た図面となっている。
図４および図５に示すように、昇降機構３０は、上記した固定側サイドフレーム２０に対して、上記したクッションフレーム１１の相対的な上下位置を変更可能に設定できるように構成されている。このように、固定側サイドフレーム２０に対するクッションフレーム１１の相対的な上下位置を設定することにより、不図示のシートクッションおよびシートバックの着座高さ位置を調節できるものとなっている。この昇降機構３０は、これら固定側サイドフレーム２０とクッションフレーム１１との間に介在されるように配設されるものであり、概略、ストッパリンク３１と、リフタリンク４１とを備える。なお、図１に示すように、昇降機構３０は、固定側サイドフレーム２０とクッションフレーム１１との間の背面側部分において配設されるものとなっている。これに対して、固定側サイドフレーム２０とクッションフレーム１１との間の前面側部分においては、前面側支持リンク５１が配設されている。この前面側支持リンク５１は、一端側となる下側が固定側サイドフレーム２０に対して回動可能に軸支持されており、他端側となる上側がクッションフレーム１１に対して回動可能に軸支持されている。
【００１７】
まず、ストッパリンク３１について、図３および図５の配置状態で説明する。
図３および図５に示すように、ストッパリンク３１は、長尺矩形の金属板を打抜き加工等を行うことにより形成される。このストッパリンク３１は、一側が車両フロアＦ側に設置された固定側サイドフレーム２０（フロア側部材）に対して回動可能に軸支持されるとともに、他側が次に説明するリフタリンク４１に設けられた長孔４５に遊嵌されるものとなっている。
具体的には、図３に示すように、ストッパリンク３１の形状としては長尺矩形の金属板にて形成されており、ストッパリンク３１の一側となる下側部分には、回動可能に固定側サイドフレーム２０に軸支連結させるための下部連結孔３２が配設されている。この下部連結孔３２は、固定側サイドフレーム２０に配設された第１連結孔２１との間に軸支部材３４が挿通されて互いを軸支連結されている。この軸支部材３４は、これら下部連結孔３２と第１連結孔２１とを軸支連結することにより、固定側サイドフレーム２０に対してストッパリンク３１を相対的に回動可能に軸支するものとなっている。なお、この軸支部材３４は、ストッパリンク３１の下部連結孔３２と、固定側サイドフレーム２０の第１連結孔２１との互いに対して挿通された状態で、適宜にカシめることにより互いに回動可能な連結状態を保持している。
これに対して、ストッパリンク３１の他側となる上側部分には、次に説明するリフタリンク４１の長孔４５に遊嵌される遊嵌部位３６を設けるための上部連結孔３３が設けられている。遊嵌部位３６は、適宜の円柱形状部分を有する鋲状部材３５を長孔４５に遊嵌させた状態で、上部連結孔３３に結合させることにより形成される。つまり、上部連結孔３３に結合した鋲状部材３５は、リフタリンク４１の長孔４５に遊び有しつつ嵌められる円柱形状部分が遊嵌部位３６として機能するものとなっている。なお、この遊嵌部位３６は、リフタリンク４１の長孔４５の内部をスムーズに移動することができつつ、長孔４５の内部に形成される凹凸部４５３の凹状の一部に対して嵌り込むことができるようになっている。
【００１８】
次に、リフタリンク４１について、図３および図５の配置状態で説明する。
図３および図５に示すように、リフタリンク４１は、略矩形の金属板を打抜き加工および折曲加工等を行うことにより形成される。このリフタリンク４１は、一側が車両フロアＦに設置された固定側サイドフレーム２０（フロア側部材）に対して回動可能に軸支持されるとともに、他側がシートクッション（着座側構成部）の骨組みをなすクッションフレーム１１（フレーム部材）を回動可能に軸支持するものとなっている。
具体的には、図３に示すように、リフタリンク４１の形状としては、略矩形の金属板にて形成されており、リフタリンク４１の一側となる下側部分に、回動可能に固定側サイドフレーム２０に軸支連結させるための下側連結孔４２が配設されている。この下側連結孔４２は、固定側サイドフレーム２０に配設された第２連結孔２２との間に軸支部材４９が挿通されて互いを軸支連結されている。この軸支部材４９は、これら下側連結孔４２と第２連結孔２２とを軸支連結することにより、固定側サイドフレーム２０に対してリフタリンク４１を相対的に回動可能に軸支するものとなっている。なお、この軸支部材４９は、リフタリンク４１の下側連結孔４２と、固定側サイドフレーム２０の第２連結孔２２との互いに対して挿通された状態で、適宜にカシめることにより互いに回動可能な連結状態を保持している。つまり、リフタリンク４１は、この軸支部材４９を回動軸支点として、固定側サイドフレーム２０に対して相対的に回動することができる。
これに対して、リフタリンク４１の他側となる略矩形の金属板の上側部分には、上記したクッションフレーム１１を回動可能に軸支連結するための上側連結孔４３が配設されている。この上側連結孔４３は、クッションフレーム１１に配設された連結孔１１１との間に連結ロッド１９が挿通されて互いを軸支連結されている。この連結ロッド１９は、これら上側連結孔４３と連結孔１１１とを軸支連結することにより、リフタリンク４１に対してクッションフレーム１１を相対的に回動可能に軸支するものとなっている。なお、この連結ロッド１９は、リフタリンク４１の上側連結孔４３と、クッションフレーム１１の連結孔１１１との互いに対して挿通された状態で、適宜に螺子締結することにより互いに回動可能な連結状態を保持している。
また、図示していないが、上側連結孔４３の上側に隣接する部分には、レバー連結孔４４が配設されている。このレバー連結孔４４は、このリフタリンク４１を操作する操作レバー（不図示）の一部が軸支連結される部分となっている。この不図示の操作レバーを操作することにより、このリフタリンク４１の回動位置を操作することができるようになっている。
【００１９】
ところで、図３および図５に示すように、上記したリフタリンク４１のうち下側連結孔４２と上側連結孔４３との間には、長孔４５が配設されている。この長孔４５は、上記したストッパリンク３１の上側部分に配設される遊嵌部位３６を遊嵌する部分である。この長孔４５は、上側を凸とするように円弧を描く長孔形状にて形成されている。ここで、この長孔４５の内周部分のうち前面側の端部が前面側端部４５１として規定されており、この長孔４５の内周部分のうち背面側の端部が背面側端部４５２として規定されている。この前面側端部４５１と背面側端部４５２との間の内周部分の円弧を描くように長く延びる上側内周部分には、凹凸が交互に複数形成されることにより波打ち形状とされる凹凸部４５３が設けられている。なお、この凹凸部４５３には、上記したようにストッパリンク３１の遊嵌部位３６が嵌り込む部分であり、このストッパリンク３１の遊嵌部位３６の形状に対応した適宜の大きさにて形成されている。
遊嵌部位３６は、凹凸部４５３に対するストッパリンク３１の遊嵌部位３６の嵌り込みによって、長孔４５の内周部分に当接するものとなっている。これによって、車両後突等によってシートクッション等の着座側構成部がシート背面側に向けて荷重をかけることにより、突発的にリフタリンク４１が背面方向への回動しようとした場合には、ストッパリンク３１の遊嵌部位３６が長孔４５の内周部分となる凹凸部４５３に嵌り込むように長孔４５の内周部分に当接することとなる。これによって、リフタリンク４１の背面方向への回動を回動規制するものとなっている。
【００２０】
また、この長孔４５は、図６に示すようにリフタリンク４１に設けられる規制用当接部４８が固定側サイドフレーム２０に配設されるストッパ部２５に当接した場合であっても、ストッパリンク３１の遊嵌部位３６が長孔４５の内周部に対して非当接となるような長孔形状として形成されている。言い換えれば、昇降機構３０が上限位置状態の場合（図５参照）にリフタリンク４１が突発的に前面方向へ回動しようとして、リフタリンク４１の規制用当接部４８が固定側サイドフレーム２０のストッパ部２５に当接した場合（図６参照）であっても、ストッパリンク３１の遊嵌部位３６が長孔４５の背面側端部４５２に対して非当接となるように設計されている。つまり、車両後突等によって、シートクッション等の着座側構成部がシート背面側に向けて荷重をかけた場合であっても、長孔４５の内周部分に対してストッパリンク３１の遊嵌部位３６の非当接状態を維持するように、長孔４５の背面側端部４５２の位置は設計されている。
【００２１】
また、図３および図５に示すように、このリフタリンク４１の前面側には、規制用当接部４８を設けるための前面延在部４６が形成されている。この前面延在部４６は、上記した長孔４５の前面側かつ上側の部分に、切り欠かれていない中実（金属の肉有り）部分を延在させることにより形成されるものとなっている。この前面延在部４６は、長孔４５の背面側端部４５２における長孔４５の円弧接線方向の前面側に向かって中実（金属の肉有り）部分が延在するように形成されている。
図３および図５に示すように、このリフタリンク４１の前面側端縁は、固定側サイドフレーム２０が配置される側（シート幅方向内側）に折り曲げるようにしてフランジ状支持部４７が形成されている。つまり、このフランジ状支持部４７は、シート幅方向内側に向けてフランジ状に突出して形成されている。このフランジ状支持部４７は、長孔４５の延在方向とは交差する異なる方向に延びる凸条状に設計されている。具体的には、フランジ状支持部４７は、長孔４５の前面側端部４５１の隣接位置から、回動軸支点となる軸支部材４９から離れていくようにリフタリンク４１の略回動径方向に沿って延びている。そして、このフランジ状支持部４７の側端部が、上記した固定側サイドフレーム２０に配設されるストッパ部２５に当接する規制用当接部４８として構成されている。つまり、この規制用当接部４８は、フランジ状支持部４７の側端部となる折曲形状部分にて形成されている。このため、この規制用当接部４８の配設位置は、リフタリンク４１の一側に位置する軸支部材４９を回動軸支点として、上記した長孔４５の前面側端部４５１の配設位置よりも、回動径方向外側に位置するように設定されたものとなっている。なお、この規制用当接部４８は、上記した前面延在部４６の端縁部分に形成されたフランジ状支持部４７の側端部で構成されているため、この規制用当接部４８が当接することにより受けるを圧力をフランジ状支持部４７にて支持することができるものとなっている。ここで、フランジ状支持部４７が延在する方向は、規制用当接部４８がストッパ部２５の当接面２５１に当接する当接方向と略一致する方向に設定されている。
【００２２】
上記したように構成される車両用シートの昇降機構３０によれば、次のような作用効果を奏することができる。
すなわち、上記した車両用シートの昇降機構３０によれば、リフタリンク４１の背面方向への回動は、長孔４５の内部に遊嵌されるストッパリンク３１の遊嵌部位３６が長孔４５の内周部となる凹凸部４５３に嵌合当接することによって回動規制されるものとなっている。このため、車両後突等によりシートクッション等の着座側構成部がシート背面側に向けて荷重をかけた場合でも、リフタリンク４１の背面方向への回動を規制することができる。また、上記した車両用シートの昇降機構３０によれば、車両前突等により着座側構成部がシート前面側に向けて荷重をかけた場合でも、リフタリンク４１の前面方向への回動は、リフタリンク４１に設けられる規制用当接部４８が固定側サイドフレーム２０に配設されるストッパ部２５の当接面２５１に当接することによって回動規制されるものとなっているので、リフタリンク４１の前面方向への回動を規制することができる。
【００２３】
ここで、上記した車両用シートの昇降機構３０によれば、規制用当接部４８の配設位置は、リフタリンク４１の回動軸支点となる軸支部材４９に対して、長孔４５の前面側端部４５１の配設位置よりも回動径方向外側の位置するように設定されている。このため、長孔４５の前面側端部４５１のリフタリンク４１の回動径距離と、規制用当接部４８のリフタリンク４１の回動径距離とは、相違する距離に設定されることとなる。このため、リフタリンク４１の回動規制により規制用当接部４８にかかる荷重は、図６にて示すハッチング矢印方向の基端部分ように、長孔４５の前面側端部４５１の位置とはずらされた位置にかかることとなる。つまり、リフタリンク４１の回動規制により規制用当接部４８にかかる荷重は、長孔４５とは異なる切り欠かれていない中実（金属の肉有り）部分となる前面延在部４６にて支持できるものとなる。これによって、切り欠かれた（金属の肉無し）形状の長孔４５に荷重のかからないものとすることができ、長孔４５部分の変形を防止することができる。また、リフタリンク４１の回動規制により規制用当接部４８にかかる荷重は、切り欠かれてはいない中実（金属の肉有り）部分となる前面延在部４６にて支持できるので、回動を規制する回動ストッパ機構としての強度も向上させることができる。
さらに、上記した車両用シートの昇降機構３０によれば、規制用当接部４８の回動軸支点からの距離（回動径距離）は、従前まで設定されていた距離よりも長い距離に設定されるものとなる。このため、梃子の原理によって、回動規制にて規制用当接部４８にかかる荷重は従前よりも小さい負荷とすることができ、荷重に対するリフタリンク４１の耐久性を向上させて回動ストッパ機構全体としての強度の向上にも繋がることとなる。
もって、上記した車両用シートの昇降機構３０によれば、少ない部品点数で簡素に構成することができながら、車両後突によるリフタリンク４１の背面方向への回動を規制することができ、車両前突によるリフタリンク４１の前面方向への回動を規制することができ、さらに車両前突によっての長孔４５部分の変形を防止して、回動ストッパ機構としての強度を向上させることができる。
【００２４】
また、上記した車両用シートの昇降機構３０によれば、長孔４５は、リフタリンク４１に設けられる規制用当接部４８が固定側サイドフレーム２０に配設されるストッパ部２５の当接面２５１に当接した場合であっても、ストッパリンク３１の遊嵌部位３６は長孔４５の内周部に対して非当接となる長孔形状として形成されているので、例えばストッパリンク３１の遊嵌部位３６が長孔４５の内周部の背面側端部４５２に当たることによって長孔４５部分を変形させてしまう問題を防止することができる。もって、車両前突による長孔４５の変形を防止して、回動ストッパ機構としての強度を向上させることができる。
また、上記した車両用シートの昇降機構３０によれば、ストッパ部２５は、固定側サイドフレーム２０からシート幅方向外側にフランジ状に突出して形成されているので、このストッパ部２５を固定側サイドフレーム２０と別部品で構成することがなくなる。これによって、部品点数を少なくして、製造コストを抑えることができるとともに製造作業性を向上させることができる。
また、図６に示すように、規制用当接部４８は、長孔４５の延在方向とは異なる方向に延びたリフタリンク４１の端縁をシート幅方向に折り曲げるようにして形成されたフランジ状支持部４７の側端部にて構成されており、さらにストッパ部２５への当接面２５１は規制用当接部４８が延びる方向と交差する方向に形成されている。このため、この規制用当接部４８がストッパ部２５から受ける荷重を、長孔４５の延在方向とは異なる方向に向けた図６にて示すハッチング矢印方向とすることができる。これによって、規制用当接部４８がストッパ部２５から受ける荷重を、切り欠かれた（金属の肉無し）形状となる長孔４５に向かないものとして、長孔部分の変形を効果的に防止することができ、回動ストッパ機構としての強度を向上させることができる。
【００２５】
なお、本発明に係る車両用シートの昇降機構にあっては、上記した実施の形態に限定されるものではなく、次のように適宜個所を変更して構成するようにしてもよい。
例えば、上記した実施の形態における車両フロアに設置されたフロア側部材としては、脚ブラケット１３を介して車両フロアＦに固定設置されるスライド機構１５に対して固定設置される固定側サイドフレーム２０となっていた。しかしながら、本発明に係るフロア側部材としては、これに限定されることなく、脚ブラケット１３やスライド機構１５を設けることなく、車両フロアＦに直で固定設置される部材であってもよい。さらに言えば、本発明に係るフロア側部材としては、車両フロアを一部変形させて取付け構造が構成されるものも含まれる。
また、本発明に係る車両用シートの昇降機構としては、上記したリフタリンクやストッパリンクのほか、適宜の部材が加えられて構成されるものであってもよい。
【符号の説明】
【００２６】
１０  車両用シート（着座側構成部）
１１  クッションフレーム（着座側構成部のフレーム部材）
１１１  連結孔
１３  脚ブラケット
１５  スライド機構
１６  ロアレール
１７  アッパレール
１９  連結ロッド
２０  固定側サイドフレーム（フロア側部材）
２１  第１連結孔
２２  第２連結孔
２５  ストッパ部
２５１  当接面
３０  昇降機構
３１  ストッパリンク
３２  下部連結孔
３３  上部連結孔
３４  軸支部材
３５  鋲状部材
３６  遊嵌部位
４１  リフタリンク
４２  下側連結孔
４３  上側連結孔
４４  レバー連結孔
４５  長孔
４５１  前面側端部
４５２  背面側端部
４５３  凹凸部
４６  前面延在部
４７  フランジ状支持部
４８  規制用当接部
４９  軸支部材（リフタリンクの回動軸支点）
５１  前面側支持リンク
Ｆ  車両フロア
【図１】
0005575573.tif 000002
【図２】
0005575573.tif 000003
【図３】
0005575573.tif 000004
【図４】
0005575573.tif 000005
【図５】
0005575573.tif 000006
【図６】
0005575573.tif 000007